(57)【要約】【課題】セキュリティを低下させることなく、簡単な処理で複数の機器間のプロファイルを作成することができる無線通信システム、無線通信方法及びプログラムを提供する。【解決手段】第２無線通信機器１１が、第１無線通信機器１０との間でプロファイルの作成が完了した後、第１無線通信機器１０にプロファイル作成を継続する旨を通知（継続指示を送信）するとともに、第３無線通信機器１２にプロファイルの作成の指示（プロファイル作成開始指示）を送信し、プロファイル作成を継続する旨の通知を受けた第１無線通信機器１０が、プロファイルの作成を継続し、プロファイルの作成の指示を受けた第３無線通信機器１２が、第１無線通信機器１０との間でプロファイルの作成を行う。これにより、簡単な処理で３台の無線通信機器１０，１１，１２間のプロファイルを作成できる。【選択図】図２
2013038460.tif 000002
【特許請求の範囲】
【請求項１】
第１無線通信部を有する第１無線通信機器と、
前記第１無線通信部と無線通信可能な第２無線通信部を有する第２無線通信機器と、
前記第１無線通信部と無線通信可能な第３無線通信部を有する第３無線通信機器と、
を備え、
前記第２無線通信機器は更に、第４無線通信部を有し、
前記第３無線通信機器は更に、前記第４無線通信部と無線通信可能な第５無線通信部を有する無線通信システムであって、
前記第１無線通信機器及び前記第２無線通信機器は、前記１無線通信部と前記第２無線通信部との通信に用いるプロファイルの作成を開始し、
次に、前記第２無線通信機器は、前記プロファイルの作成が完了した場合、前記第２無線通信部を介して前記第１無線通信機器へプロファイル作成を継続する旨を通知するとともに、前記第４無線通信部を介して前記第３無線通信機器へプロファイルの作成の指示を送付し、
前記第１無線通信部を介して前記プロファイル作成を継続する旨の通知を受けた前記第１無線通信機器は、プロファイル作成を継続し、
前記第５無線通信部を介して前記プロファイル作成の指示を受けた前記第３無線通信機器は、前記第１無線通信部と前記第３無線通信部との通信に用いるプロファイルの作成を開始する無線通信システム。
【請求項２】
請求項１に記載の無線通信システムであって、
前記第１無線通信機器は、有線通信又は無線通信を用いて第４無線通信機器と通信可能である無線通信システム。
【請求項３】
請求項１又は請求項２に記載の無線通信システムであって、
前記第１無線通信部、前記第２無線通信部、及び前記第３無線通信部は、無線ＬＡＮの規格に準拠する無線通信システム。
【請求項４】
請求項１から請求項３のいずれか１項に記載の無線通信システムであって、
前記第４無線通信部及び前記第５無線通信部は、ブルートゥースの規格に準拠する無線通信システム。
【請求項５】
請求項１から請求項３のいずれか１項に記載の無線通信システムであって、
前記第２無線通信部と前記第４無線通信部は同一であり、
前記第３無線通信部と前記第５無線通信部は同一である無線通信システム。
【請求項６】
請求項１から請求項５のいずれか１項に記載の無線通信システムであって、
前記第２無線通信機器が、前記第４無線通信部を介して前記第３無線通信機器へプロファイルの作成の指示を送付する際に、前記第１無線通信機器の識別子を併せて送付する無線通信システム。
【請求項７】
第１無線通信部を有する第１無線通信機器と、
前記第１無線通信部と無線通信可能な第２無線通信部を有する第２無線通信機器と、
前記第１無線通信部と無線通信可能な第３無線通信部を有する第３無線通信機器と、
を備え、
前記第２無線通信機器は更に、第４無線通信部を有し、
前記第３無線通信機器は更に、前記第４無線通信部と無線通信可能な第５無線通信部を有する無線通信システムに用いる無線通信方法であって、
前記第１無線通信機器及び前記第２無線通信機器が、前記１無線通信部と前記第２無線通信部との通信に用いるプロファイルの作成を開始するステップと、
前記第２無線通信機器が、前記プロファイルの作成が完了した場合、前記第２無線通信部を介して前記第１無線通信機器へプロファイル作成を継続する旨を通知するとともに、前記第４無線通信部を介して前記第３無線通信機器へプロファイルの作成の指示を送付するステップと、
前記第１無線通信部を介して前記プロファイル作成を継続する旨の通知を受けた前記第１無線通信機器が、プロファイル作成を継続するステップと、
前記第５無線通信部を介して前記プロファイル作成の指示を受けた前記第３無線通信機器が、前記１無線通信部と前記第３無線通信部との通信に用いるプロファイルの作成を開始するステップと、
を有する無線通信方法。
【請求項８】
第１無線通信部を有する第１無線通信機器と、
前記第１無線通信部と無線通信可能な第２無線通信部を有する第２無線通信機器と、
前記第１無線通信部と無線通信可能な第３無線通信部を有する第３無線通信機器と、
を備え、
前記第２無線通信機器は更に、第４無線通信部を有し、
前記第３無線通信機器は更に、前記第４無線通信部と無線通信可能な第５無線通信部を有する無線通信システムに用いる無線通信プログラムであって、
前記第１無線通信機器及び前記第２無線通信機器が、前記１無線通信部と前記第２無線通信部との通信に用いるプロファイルの作成を開始するステップと、
前記第２無線通信機器が、前記プロファイルの作成が完了した場合、前記第２無線通信部を介して前記第１無線通信機器へプロファイル作成を継続する旨を通知するとともに、前記第４無線通信部を介して前記第３無線通信機器へプロファイルの作成の指示を送付するステップと、
前記第１無線通信部を介して前記プロファイル作成を継続する旨の通知を受けた前記第１無線通信機器が、プロファイル作成を継続するステップと、
前記第５無線通信部を介して前記プロファイル作成の指示を受けた前記第３無線通信機器が、前記１無線通信部と前記第３無線通信部との通信に用いるプロファイルの作成を開始するステップと、
を有する無線通信プログラム。
【請求項９】
第１無線通信部を有する第１無線通信機器と、
前記第１無線通信部と無線通信可能な第２無線通信部を有する第２無線通信機器と、
前記第１無線通信部と無線通信可能な第３無線通信部を有する第３無線通信機器と、
前記第１無線通信部と無線通信可能な第４無線通信部を有する第４無線通信機器と、
を備え、
前記第２無線通信機器は更に、第５無線通信部を有し、
前記第３無線通信機器は更に、前記第５無線通信部と無線通信可能な第６無線通信部を有し、
前記第４無線通信機器は更に、前記第６無線通信部と無線通信可能な第７無線通信部を有する無線通信システムであって、
前記第１無線通信機器及び前記第２無線通信機器は、前記１無線通信部と前記第２無線通信部との通信に用いるプロファイルの作成を開始し、
次に、前記第２無線通信機器は、前記プロファイルの作成が完了した場合、前記第２無線通信部を介して前記第１無線通信機器へプロファイル作成を継続する旨を通知するとともに、前記第５無線通信部を介して前記第３無線通信機器へプロファイルの作成の指示を送付し、
前記第１無線通信部を介して前記プロファイル作成を継続する旨の通知を受けた前記第１無線通信機器は、プロファイル作成を継続し、
前記第６無線通信部を介して前記プロファイル作成の指示を受けた前記第３無線通信機器は、前記１無線通信部と前記第３無線通信部との通信に用いるプロファイルの作成を開始し、
次に、前記第３無線通信機器は、前記プロファイルの作成が完了した場合、前記第３無線通信部を介して前記第１無線通信機器へプロファイル作成を継続する旨を通知するとともに、前記第６無線通信部を介して前記第４無線通信機器へプロファイルの作成の指示を送付し、
前記第１無線通信部を介して前記プロファイル作成を継続する旨の通知を受けた前記第１無線通信機器は、プロファイル作成を継続し、
前記第７無線通信部を介して前記プロファイル作成の指示を受けた前記第４無線通信機器は、前記１無線通信部と前記第４無線通信部との通信に用いるプロファイルの作成を開始する無線通信システム。
【請求項１０】
第１無線通信部を有する第１無線通信機器と、
前記第１無線通信部と無線通信可能な第２無線通信部を有する第２無線通信機器と、
前記第１無線通信部と無線通信可能な第３無線通信部を有する第３無線通信機器と、
前記第１無線通信部と無線通信可能な第４無線通信部を有する第４無線通信機器と、
を備え、
前記第２無線通信機器は更に、第５無線通信部を有し、
前記第３無線通信機器は更に、前記第５無線通信部と無線通信可能な第６無線通信部を有し、
前記第４無線通信機器は更に、前記第６無線通信部と無線通信可能な第７無線通信部を有する無線通信システムであって、
前記第１無線通信機器及び前記第２無線通信機器は、前記１無線通信部と前記第２無線通信部との通信に用いるプロファイルの作成を開始し、
次に、前記第２無線通信機器は、前記プロファイルの作成が完了した場合、前記第２無線通信部を介して前記第１無線通信機器へプロファイル作成を継続する旨を通知するとともに、前記第５無線通信部を介して前記第３無線通信機器へ継続を示す継続フラグとともにプロファイルの作成の指示を送付し、
前記第１無線通信部を介して前記プロファイル作成を継続する旨の通知を受けた前記第１無線通信機器は、プロファイル作成を継続し、
前記第６無線通信部を介して前記プロファイル作成の指示を受けた前記第３無線通信機器は、前記１無線通信部と前記第３無線通信部との通信に用いるプロファイルの作成を開始し、
次に、前記第３無線通信機器は、前記プロファイルの作成が完了した場合、前記第３無線通信部を介して前記第１無線通信機器へプロファイル作成を継続する旨を通知するとともに、前記第６無線通信部を介して前記第２無線通信機器へプロファイル作成完了通知を送付し、
前記第５無線通信部を介して前記プロファイル作成完了通知を受けた前記第２無線通信機器は、前記第５無線通信部を介して前記第４無線通信機器へ完了を示す継続フラグとともにプロファイルの作成の指示を送付し、
前記第１無線通信部を介して前記プロファイル作成を継続する旨の通知を受けた前記第１無線通信機器は、プロファイル作成を継続し、
前記第７無線通信部を介して前記プロファイル作成の指示を受けた前記第４無線通信機器は、前記１無線通信部と前記第４無線通信部との通信に用いるプロファイルの作成を開始する無線通信システム。
【発明の詳細な説明】
【技術分野】
【０００１】
本発明は、例えばアクセスポイントと、スマートフォンと、スマートパッド等の複数の無線通信機器で構成される無線通信システム、該無線通信システムに用いる無線通信方法及びプログラムに関する。
【背景技術】
【０００２】
近年、携帯電話としての無線通信機能の他に、無線ＬＡＮ、赤外線通信、ブルートゥースなどの無線通信機能を有する無線通信機器が普及してきており、その１つとして携帯電話とＰＤＡ（Personal Digital Assistant）を融合させたスマートフォンと呼ばれるものや、スマートフォンより大型のスマートパッドと呼ばれるものがある。スマートフォンは、携帯電話機能の他に前述した無線ＬＡＮ、赤外線通信、ブルートゥースなどの無線通信機能、スケジュール機能及び個人情報管理機能などの多種多様な機能を有する。携帯電話機能としては、主に、セルラーの無線通信方式に準拠する無線通信に対応させたものが殆どである。また、スマートフォンには、セルラーの無線通信方式に準拠する無線通信に対応するルータ（以下、“３Ｇルータ”と呼ぶ）として動作可能なものもある。スマートパッドは、第３世代移動通信に対応させた携帯電話機能を有するものもあるが、一般的には、無線ＬＡＮ、赤外線通信、ブルートゥースなどの無線通信機能のみ有するものである。
【０００３】
上述した無線通信機器は、一般的にインターネットに接続できる通信機能も有しており、インターネットに接続する際には、アクセスポイントである無線通信機器との間でプロファイルの作成が行われる。
【０００４】
図１４は、スマートフォン２００、スマートパッド２１０及びアクセスポイント２２０を示す図であり、これらの機器間におけるプロファイルの作成は、スマートフォン２００とアクセスポイント２２０、スマートパッド２１０とアクセスポイント２２０のそれぞれの間で行われる。なお、スマートフォン２００が３Ｇルータ機能を有している場合、スマートフォン２００とスマートパッド２１０との間でもプロファイルの作成が可能である。プロファイル作成処理は、各機器が有しているプロファイル作成処理を同時に実行させることで行われる。例えば、スマートフォン２００とアクセスポイント２２０との間でプロファイルを作成するときには、スマートフォン２００とアクセスポイント２２０のそれぞれに備えられているプロファイル作成処理用のスイッチを同時に押下する。
【０００５】
プロファイルを作成する技術として、例えば特許文献１に記載されている「ネットワークプリンタ管理装置及びネットワークプリンタシステム」や、特許文献２に記載されている「無線制御装置」がある。特許文献１には、複数の機器間（例えば、パソコンとプリンタ）におけるプロファイル作成に関し、パソコンとプリンタの設定情報を、ネットワークを介して送受信することで、煩雑な処理を行うことなく、複数のパソコンでプリンタを使用することを可能とする点が記載されている。
【０００６】
また、特許文献２には、複数のネットワークインタフェース（例えば、赤外線と無線）を持つ１対１機器間のプロファイル作成に関し、赤外線をトリガにして無線のペアリングを実施するようにすることで、ユーザに手間を煩わせることなく（両方のボタンの押下が不要）、またコスト及び消費電力を抑えたペアリングができる点が記載されている。
【先行技術文献】
【特許文献】
【０００７】
【特許文献１】特開２０００−３３０７５０号公報
【特許文献２】特開２００９−１２４５８１号公報
【発明の概要】
【発明が解決しようとする課題】
【０００８】
しかしながら、従来の複数の機器間のプロファイル作成においては、１台ずつ行うことになるので、手間がかかるといった課題がある。例えば、前述した図１４に示すスマートフォン２００、スマートパッド２１０及びアクセスポイント２２０では、アクセスポイント２２０に対し、スマートフォン２００とスマートパッド２１０のそれぞれにおいてプロファイルの作成を行うことになる。
【０００９】
上述した特許文献１で開示された発明では、複数の機器間のプロファイル作成における煩雑な処理が不要となるが、設定情報そのものをネットワーク経由で送受信するようにしているため、設定情報にセキュアな情報（例えば、鍵情報）が含まれていると、セキュリティが低下してしまうという可能性がある。
【００１０】
特許文献２で開示された発明では、複数のインタフェースを使用することで、ユーザに手間を煩わせることなくプロファイルを作成できるものの、１対１の機器間でのプロファイル作成でしかなく、複数の機器間のプロファイルの作成はできない。
【００１１】
本発明は、係る事情に鑑みてなされたものであり、セキュリティを低下させることなく、簡単な処理で複数の機器間のプロファイルを作成することができる無線通信システム、無線通信方法及びプログラムを提供することを目的とする。
【課題を解決するための手段】
【００１２】
本発明の無線通信システムは、第１無線通信部を有する第１無線通信機器と、前記第１無線通信部と無線通信可能な第２無線通信部を有する第２無線通信機器と、前記第１無線通信部と無線通信可能な第３無線通信部を有する第３無線通信機器と、を備え、前記第２無線通信機器は更に、第４無線通信部を有し、前記第３無線通信機器は更に、前記第４無線通信部と無線通信可能な第５無線通信部を有する無線通信システムであって、前記第１無線通信機器及び前記第２無線通信機器は、前記第１無線通信部と前記第２無線通信部との通信に用いるプロファイルの作成を開始し、次に、前記第２無線通信機器は、前記プロファイルの作成が完了した場合、前記第２無線通信部を介して前記第１無線通信機器へプロファイル作成を継続する旨を通知するとともに、前記第４無線通信部を介して前記第３無線通信機器へプロファイルの作成の指示を送付し、前記第１無線通信部を介して前記プロファイル作成を継続する旨の通知を受けた前記第１無線通信機器は、プロファイル作成を継続し、前記第５無線通信部を介して前記プロファイル作成の指示を受けた前記第３無線通信機器は、前記第１無線通信部と前記第３無線通信部との通信に用いるプロファイルの作成を開始する。
【００１３】
上記構成によれば、第２無線通信機器が、第１無線通信機器との間でプロファイルの作成が完了した後、第１無線通信機器へプロファイル作成を継続する旨を通知するとともに、第３無線通信機器へプロファイルの作成の指示を送付し、プロファイル作成を継続する旨の通知を受けた第１無線通信機器が、プロファイルの作成を継続し、プロファイルの作成の指示を受けた第３無線通信機器が、第１無線通信機器との間でプロファイルの作成を行うので、簡単な処理で３台の無線通信機器間のプロファイルを作成できる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【００１４】
上記構成において、前記第１無線通信機器は、有線通信又は無線通信を用いて第４無線通信機器と通信可能である。
【００１５】
上記構成において、前記第１無線通信部、前記第２無線通信部、及び前記第３無線通信部は、無線ＬＡＮの規格に準拠する。
【００１６】
上記構成において、前記第４無線通信部及び前記第５無線通信部は、ブルートゥースの規格に準拠する。
【００１７】
上記構成において、前記第２無線通信部と前記第４無線通信部は同一であり、前記第３無線通信部と前記第５無線通信部は同一である。
【００１８】
上記構成によれば、第２無線通信部と第４無線通信部を共通化し、第３無線通信部と第５無線通信部を共通化することで、第２無線通信機器及び第３無線通信機器それぞれのコストダウン及び小型化が可能となる。
【００１９】
上記構成において、前記第２無線通信機器が、前記第４無線通信部を介して前記第３無線通信機器へプロファイルの作成の指示を送付する際に、前記第１無線通信機器の識別子を併せて送付する。
【００２０】
上記構成によれば、第３無線通信機器に第１無線通信機器の識別子を送付することで、第３無線通信機器と第１無線通信機器との接続が容易になる。
【００２１】
本発明の無線通信方法は、第１無線通信部を有する第１無線通信機器と、前記第１無線通信部と無線通信可能な第２無線通信部を有する第２無線通信機器と、前記第１無線通信部と無線通信可能な第３無線通信部を有する第３無線通信機器と、を備え、前記第２無線通信機器は更に、第４無線通信部を有し、前記第３無線通信機器は更に、前記第４無線通信部と無線通信可能な第５無線通信部を有する無線通信システムに用いる無線通信方法であって、前記第１無線通信機器及び前記第２無線通信機器が、前記１無線通信部と前記第２無線通信部との通信に用いるプロファイルの作成を開始するステップと、前記第２無線通信機器が、前記プロファイルの作成が完了した場合、前記第２無線通信部を介して前記第１無線通信機器へプロファイル作成を継続する旨を通知するとともに、前記第４無線通信部を介して前記第３無線通信機器へプロファイルの作成の指示を送付するステップと、前記第１無線通信部を介して前記プロファイル作成を継続する旨の通知を受けた前記第１無線通信機器が、プロファイル作成を継続するステップと、前記第５無線通信部を介して前記プロファイル作成の指示を受けた前記第３無線通信機器が、前記１無線通信部と前記第３無線通信部との通信に用いるプロファイルの作成を開始するステップと、を有する。
【００２２】
上記方法によれば、第２無線通信機器が、第１無線通信機器との間でプロファイルの作成が完了した後、第１無線通信機器へプロファイル作成を継続する旨を通知するとともに、第３無線通信機器へプロファイルの作成の指示を送付し、プロファイル作成を継続する旨の通知を受けた第１無線通信機器が、プロファイルの作成を継続し、プロファイルの作成の指示を受けた第３無線通信機器が、第１無線通信機器との間でプロファイルの作成を行うので、簡単な処理で３台の無線通信機器間のプロファイルを作成できる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【００２３】
本発明の無線通信プログラムは、第１無線通信部を有する第１無線通信機器と、前記第１無線通信部と無線通信可能な第２無線通信部を有する第２無線通信機器と、前記第１無線通信部と無線通信可能な第３無線通信部を有する第３無線通信機器と、を備え、前記第２無線通信機器は更に、第４無線通信部を有し、前記第３無線通信機器は更に、前記第４無線通信部と無線通信可能な第５無線通信部を有する無線通信システムに用いる無線通信プログラムであって、前記第１無線通信機器及び前記第２無線通信機器が、前記１無線通信部と前記第２無線通信部との通信に用いるプロファイルの作成を開始するステップと、前記第２無線通信機器が、前記プロファイルの作成が完了した場合、前記第２無線通信部を介して前記第１無線通信機器へプロファイル作成を継続する旨を通知するとともに、前記第４無線通信部を介して前記第３無線通信機器へプロファイルの作成の指示を送付するステップと、前記第１無線通信部を介して前記プロファイル作成を継続する旨の通知を受けた前記第１無線通信機器が、プロファイル作成を継続するステップと、前記第５無線通信部を介して前記プロファイル作成の指示を受けた前記第３無線通信機器が、前記１無線通信部と前記第３無線通信部との通信に用いるプロファイルの作成を開始するステップと、を有する。
【００２４】
上記プログラムによれば、第２無線通信機器が、第１無線通信機器との間でプロファイルの作成が完了した後、第１無線通信機器へプロファイル作成を継続する旨を通知するとともに、第３無線通信機器へプロファイルの作成の指示を送付し、プロファイル作成を継続する旨の通知を受けた第１無線通信機器が、プロファイルの作成を継続し、プロファイルの作成の指示を受けた第３無線通信機器が、第１無線通信機器との間でプロファイルの作成を行うので、簡単な処理で３台の無線通信機器間のプロファイルを作成できる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【００２５】
本発明の無線通信システムは、第１無線通信部を有する第１無線通信機器と、前記第１無線通信部と無線通信可能な第２無線通信部を有する第２無線通信機器と、前記第１無線通信部と無線通信可能な第３無線通信部を有する第３無線通信機器と、前記第１無線通信部と無線通信可能な第４無線通信部を有する第４無線通信機器と、を備え、前記第２無線通信機器は更に、第５無線通信部を有し、前記第３無線通信機器は更に、前記第５無線通信部と無線通信可能な第６無線通信部を有し、前記第４無線通信機器は更に、前記第６無線通信部と無線通信可能な第７無線通信部を有する無線通信システムであって、前記第１無線通信機器及び前記第２無線通信機器は、前記１無線通信部と前記第２無線通信部との通信に用いるプロファイルの作成を開始し、次に、前記第２無線通信機器は、前記プロファイルの作成が完了した場合、前記第２無線通信部を介して前記第１無線通信機器へプロファイル作成を継続する旨を通知するとともに、前記第５無線通信部を介して前記第３無線通信機器へプロファイルの作成の指示を送付し、前記第１無線通信部を介して前記プロファイル作成を継続する旨の通知を受けた前記第１無線通信機器は、プロファイル作成を継続し、前記第６無線通信部を介して前記プロファイル作成の指示を受けた前記第３無線通信機器は、前記１無線通信部と前記第３無線通信部との通信に用いるプロファイルの作成を開始し、次に、前記第３無線通信機器は、前記プロファイルの作成が完了した場合、前記第３無線通信部を介して前記第１無線通信機器へプロファイル作成を継続する旨を通知するとともに、前記第６無線通信部を介して前記第４無線通信機器へプロファイルの作成の指示を送付し、前記第１無線通信部を介して前記プロファイル作成を継続する旨の通知を受けた前記第１無線通信機器は、プロファイル作成を継続し、前記第７無線通信部を介して前記プロファイル作成の指示を受けた前記第４無線通信機器は、前記１無線通信部と前記第４無線通信部との通信に用いるプロファイルの作成を開始する。
【００２６】
上記構成によれば、第２無線通信機器が、第１無線通信機器との間でプロファイルの作成が完了した後、第１無線通信機器へプロファイル作成を継続する旨を通知するとともに、第３無線通信機器へプロファイルの作成の指示を送付し、プロファイル作成を継続する旨の通知を受けた第１無線通信機器が、プロファイルの作成を継続し、プロファイルの作成の指示を受けた第３無線通信機器が、第１無線通信機器との間でプロファイルの作成を行い、該プロファイルの作成が完了した後、第１無線通信機器へプロファイル作成を継続する旨を通知するとともに、第４無線通信機器へプロファイルの作成の指示を送付し、プロファイル作成を継続する旨の通知を受けた第１無線通信機器が、プロファイルの作成を継続し、プロファイルの作成の指示を受けた第４無線通信機器が、第１無線通信機器との間でプロファイルの作成を行うので、簡単な処理で４台の無線通信機器間のプロファイルを作成できる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【００２７】
本発明の無線通信システムは、第１無線通信部を有する第１無線通信機器と、前記第１無線通信部と無線通信可能な第２無線通信部を有する第２無線通信機器と、前記第１無線通信部と無線通信可能な第３無線通信部を有する第３無線通信機器と、前記第１無線通信部と無線通信可能な第４無線通信部を有する第４無線通信機器と、を備え、前記第２無線通信機器は更に、第５無線通信部を有し、前記第３無線通信機器は更に、前記第５無線通信部と無線通信可能な第６無線通信部を有し、前記第４無線通信機器は更に、前記第６無線通信部と無線通信可能な第７無線通信部を有する無線通信システムであって、前記第１無線通信機器及び前記第２無線通信機器は、前記第１無線通信部と前記第２無線通信部との通信に用いるプロファイルの作成を開始し、次に、前記第２無線通信機器は、前記プロファイルの作成が完了した場合、前記第２無線通信部を介して前記第１無線通信機器へプロファイル作成を継続する旨を通知するとともに、前記第５無線通信部を介して前記第３無線通信機器へ継続を示す継続フラグとともにプロファイルの作成の指示を送付し、前記第１無線通信部を介して前記プロファイル作成を継続する旨の通知を受けた前記第１無線通信機器は、プロファイル作成を継続し、前記第６無線通信部を介して前記プロファイル作成の指示を受けた前記第３無線通信機器は、前記第１無線通信部と前記第３無線通信部との通信に用いるプロファイルの作成を開始し、次に、前記第３無線通信機器は、前記プロファイルの作成が完了した場合、前記第３無線通信部を介して前記第１無線通信機器へプロファイル作成を継続する旨を通知するとともに、前記第６無線通信部を介して前記第２無線通信機器へプロファイル作成完了通知を送付し、前記第５無線通信部を介して前記プロファイル作成完了通知を受けた前記第２無線通信機器は、前記第５無線通信部を介して前記第４無線通信機器へ完了を示す継続フラグとともにプロファイルの作成の指示を送付し、前記第１無線通信部を介して前記プロファイル作成を継続する旨の通知を受けた前記第１無線通信機器は、プロファイル作成を継続し、前記第７無線通信部を介して前記プロファイル作成の指示を受けた前記第４無線通信機器は、前記１無線通信部と前記第４無線通信部との通信に用いるプロファイルの作成を開始する。
【００２８】
上記構成によれば、第２無線通信機器が、第１無線通信機器との間でプロファイルの作成が完了した後、第１無線通信機器へプロファイル作成を継続する旨を通知するとともに、第３無線通信機器へ継続を示す継続フラグとともにプロファイルの作成の指示を送付し、プロファイル作成を継続する旨の通知を受けた第１無線通信機器が、プロファイルの作成を継続し、プロファイルの作成の指示を受けた第３無線通信機器が、第１無線通信機器との間でプロファイルの作成を行い、該プロファイルの作成が完了した後、第１無線通信機器へプロファイル作成を継続する旨を通知するとともに、第２無線通信機器へプロファイル作成完了通知を送付し、プロファイル作成完了通知を受けた第２無線通信機器が、第４無線通信機器へ完了を示す継続フラグとともにプロファイルの作成の指示を送付し、プロファイル作成を継続する旨の通知を受けた第１無線通信機器が、プロファイル作成を継続し、プロファイル作成の指示を受けた第４無線通信機器が、第１無線通信機器との間でプロファイルの作成を行うので、簡単な処理で４台の無線通信機器間のプロファイルを作成できる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【発明の効果】
【００２９】
本発明によれば、セキュリティを低下させることなく、簡単な処理で複数の機器間のプロファイルを作成することができる。
【図面の簡単な説明】
【００３０】
【図１】本発明の実施の形態１に係る無線通信システムの基本構成を示すブロック図
【図２】図１に示す無線通信システムの第１無線通信機器、第２無線通信機器及び第３無線通信機器それぞれの概略構成を示すブロック図
【図３】図２に示す第２無線通信機器のプロファイル作成継続判断部の動作を説明するためのフローチャート
【図４】図１に示す無線通信システムにおけるプロファイル作成時の動作を説明するためのシーケンス図
【図５】プロファイル作成処理の一例を示すシーケンス図
【図６】本発明の実施の形態２に係る無線通信システムの基本構成を示すブロック図
【図７】図６に示す無線通信システムの第１無線通信機器、第２無線通信機器、第３無線通信機器及び第４無線通信機器それぞれの概略構成を示すブロック図
【図８】図６に示す無線通信システムにおけるプロファイル作成時の動作を説明するためのシーケンス図
【図９】本発明の実施の形態３に係る無線通信システムの基本構成を示すブロック図
【図１０】図９に示す無線通信システムの第１無線通信機器、第２無線通信機器、第３無線通信機器及び第４無線通信機器それぞれの概略構成を示すブロック図
【図１１】図９に示す無線通信システムにおけるプロファイル作成時の動作を説明するためのシーケンス図
【図１２】図９に示す無線通信システムの第２無線通信機器のプロファイル作成継続判断部の動作を説明するためのフローチャート
【図１３】図９に示す無線通信システムの第３無線通信機器の継続／完了判断部及び第４無線通信機器の継続／完了判断部それぞれの動作を説明するためのフローチャート
【図１４】スマートフォン、スマートパッド及びアクセスポイントを示す図
【発明を実施するための形態】
【００３１】
以下、本発明を実施するための好適な実施の形態について、図面を参照して詳細に説明する。
【００３２】
（実施の形態１）
図１は、本発明の実施の形態１に係る無線通信システムの基本構成を示すブロック図である。同図において、実施の形態１に係る無線通信システム１は、第１無線通信機器１０と、第２無線通信機器１１と、第３無線通信機器１２とを備える。第１無線通信機器１０と第２無線通信機器１１の間で通信が行われるとともに、第１無線通信機器１０と第３無線通信機器１２の間で通信が行われる。この場合、第１無線通信機器１０と第２無線通信機器１１の間と、第１無線通信機器１０と第３無線通信機器１２の間の双方の通信方式は同一であってもよいし、異なっていてもよい。本実施の形態では、第１無線通信機器１０と第２無線通信機器１１の間と、第１無線通信機器１０と第３無線通信機器１２の間の双方の通信方式に無線ＬＡＮを用いている。第２無線通信機器１１と第３無線通信機器１２との間では上記通信方式と異なる通信方式で通信が行われる。本実施の形態ではブルートゥースを用いている。
【００３３】
第１無線通信機器１０は、例えばアクセスポイントである。また、第２無線通信機器１１は、例えばスマートフォンである。また、第３無線通信機器１２は、例えばスマートパッドである。第１無線通信機器１０と第２無線通信機器１１の間及び第１無線通信機器１０と第３無線通信機器１２の間は無線ＬＡＮにて通信が行われる。第２無線通信機器１１と第３無線通信機器１２の間はブルートゥースにて通信が行われる。
【００３４】
図２は、第１無線通信機器１０、第２無線通信機器１１及び第３無線通信機器１２それぞれの概略構成を示すブロック図である。なお、図中の丸で囲んだ数値は、処理の順番を示すものである。図２において、第１無線通信機器１０は、第２無線通信機器１１及び第３無線通信機器１２のそれぞれと無線ＬＡＮで接続できる第１無線通信部１００と、プロファイルを作成するプロファイル作成部１０１とを備える。第２無線通信機器１１は、第２無線通信部１１０と、プロファイル作成部１１１と、プロファイル作成継続判断部１１２と、プロファイル作成要求指示送信部１１３と、第４無線通信部１１４とを備える。第２無線通信部１１０は、無線ＬＡＮにて第１無線通信機器１０の第１無線通信部１００と無線通信を行う。プロファイル作成部１１１は、接続先機器との間で通信を行うためのプロファイルを作成する。本実施の形態では、第１無線通信機器１０との間で通信を行うためのプロファイルを作成する。
【００３５】
プロファイル作成部１１１は、プロファイルの作成を完了すると、プロファイル作成継続判断部１１２にプロファイル作成完了通知を出力する。また、プロファイル作成部１１１は、プロファイル作成継続判断部１１２からの継続指示を受け取ると、第１無線通信機器１０のプロファイル作成部１０１に継続指示を出力する。なお、言うまでもないが、第１無線通信機器１０と第２無線通信機器１１は無線ＬＡＮで通信できる状態になっているので、プロファイル作成部１１１からの継続指示は無線ＬＡＮによって第１無線通信機器１０に送信される。
【００３６】
プロファイル作成継続判断部１１２は、プロファイル作成部１１１からのプロファイル作成完了通知を受け取ったときに、第４無線通信部１１４が第３無線通信機器１２と通信状態になっていれば、プロファイル作成部１１１に継続指示を出力する。プロファイル作成部１１１に継続指示を出力することで、プロファイル作成部１１１から第１無線通信機器１０に継続指示が送信される。また、プロファイル作成継続判断部１１２は、プロファイル作成部１１１に継続指示を出力した後、プロファイル作成要求指示送信部１１３にプロファイル作成開始指示を出力する。プロファイル作成要求指示送信部１１３は、プロファイル作成継続判断部１１２からのプロファイル作成開始指示を受け取ると、第４無線通信部１１４から第３無線通信機器１２にプロファイル作成開始指示を送信する。
【００３７】
第３無線通信機器１２は、第３無線通信部１２０と、プロファイル作成部１２１と、プロファイル作成要求指示受信部１２３と、第５無線通信部１２２とを備える。第３無線通信部１２０は、無線ＬＡＮにて第１無線通信機器１０の第１無線通信部１００と無線通信を行う。プロファイル作成部１２１は、プロファイル作成要求指示受信部１２３からのプロファイル作成開始指示を受け取ると、第１無線通信機器１０のプロファイル作成部１０１との間でプロファイルを作成する。プロファイル作成部１２１は、プロファイルの作成を完了すると、第１無線通信機器１０のプロファイル作成部１０１に完了通知を送信する。
【００３８】
次に、実施の形態１に係る無線通信システム１の動作を説明する。
まず第１無線通信機器１０のプロファイル作成部１０１と第２無線通信機器１１のプロファイル作成部１１１との間でプロファイルが作成される。プロファイルが作成された後、第２無線通信機器１１のプロファイル作成部１１１が、プロファイル作成継続判断部１１２にプロファイル作成完了通知を行う。プロファイル作成部１１１は、プロファイル作成継続判断部１１２にプロファイル作成完了通知を行った後、プロファイル作成継続判断部１１２からの継続指示を取り込むと、第１無線通信機器１０のプロファイル作成部１０１に継続指示を送信する。プロファイル作成継続判断部１１２は、プロファイル作成部１１１からプロファイル作成完了通知を取り込んだ後、第４無線通信部１１４が第３無線通信機器１２と接続状態にあれば、プロファイル作成部１１１に前述した継続指示を出力する。
【００３９】
プロファイル作成継続判断部１１２は、プロファイル作成部１１１に継続指示を出力した後、プロファイル作成要求指示送信部１１３にプロファイル作成開始指示を出力する。プロファイル作成要求指示送信部１１３は、プロファイル作成開始指示を受け取ると、第４無線通信部１１４を介して第３無線通信機器１２にプロファイル作成開始指示を送信する。第３無線通信機器１２のプロファイル作成要求指示受信部１２３は、第５無線通信部１２２を介してプロファイル作成開始指示を受信すると、プロファイル作成部１２１にプロファイル作成開始指示を出力する。プロファイル作成部１２１は、プロファイル作成開始指示を受け取ると、第１無線通信機器１０のプロファイル作成部１０１との間でプロファイルを作成する。そして、プロファイルの作成が完了すると、プロファイル作成部１２１は、第１無線通信機器１０に完了通知を送信する。
【００４０】
図３は、第２無線通信機器１１のプロファイル作成継続判断部１１２の動作を説明するためのフローチャートである。なお、図中の丸で囲んだ数値は、処理の順番を示すものであり、図２中の丸で囲んだ数値に対応する。図３において、プロファイル作成継続判断部１１２は、まずプロファイル作成完了通知の受信を行う（ステップＳ１）。次いで、第４無線通信部１１４の出力に基づき、接続機器があるかどうか判定する（ステップＳ２）。接続機器がある場合（ステップＳ２で「Ｙｅｓ」と判断した場合）、プロファイル作成部１１１に継続指示を送信する（ステップＳ３）。継続指示を送信した後、プロファイル作成要求指示送信部１１３にプロファイル作成指示を送信する（ステップＳ４）。プロファイル作成指示を送信した後、処理を終える。一方、接続機器がない場合（ステップＳ２で「Ｎｏ」と判断した場合）、第１無線通信機器１０に完了通知を送信する（ステップＳ５）。完了通知を送信した後、処理を終える。
なお、ここでプロファイル作成完了通知の受信（ステップＳ１）は、スタートと接続機器の判定（ステップＳ２）の間に配置しているが、スタートとステップＳ２の間に代えて、ステップＳ２とステップＳ３の間とステップＳ２とステップＳ５の間に配置しても良い。
【００４１】
図４は、実施の形態１に係る無線通信システム１におけるプロファイル作成時の動作を説明するためのシーケンス図である。なお、図中の丸で囲んだ数値は、処理の順番を示すものであり、図２及び図３中の丸で囲んだ数値に対応する。図４において、まず第１無線通信機器１０と第２無線通信機器１１との間でプロファイルの作成が行われる。次いで、第２無線通信機器１１に第３無線通信機器１２が接続されているので、第２無線通信機器１１から第１無線通信機器１０に継続指示が送信される。その後、第２無線通信機器１１から第３無線通信機器１２にプロファイル作成開始指示が送信される。これにより、第１無線通信機器１０と第３無線通信機器１２との間でプロファイルの作成が行われる。第１無線通信機器１０と第３無線通信機器１２との間でプロファイルの作成が行われた後、第３無線通信機器１２から第１無線通信機器１０に完了通知が送信される。
【００４２】
図５は、プロファイル作成処理の一例を示すシーケンス図である。同図において、“Ｐｒｏｂｅ  Ｒｅｑｕｅｓｔ”から“ＥＡＰ−Ｒｅｑｕｅｓｔ｛Ｍ８，ｃｒｅｄｅｎｔｉａｌｓ｝までの処理がプロファイル作成処理である。この処理は規格で決まっている。第２無線通信機器１１が第１無線通信機器１０に継続指示を送信する場合、“ＥＡＰ−Ｒｅｓｐｏｎｓｅ｛ＮＡＣＫ｝のコマンドを第１無線通信機器１０に送信する。また、第２無線通信機器１１が第１無線通信機器１０に完了通知を送信する場合、“ＥＡＰ−Ｒｅｓｐｏｎｓｅ｛Ｄｏｎｅ｝のコマンドを第１無線通信機器１０に送信する。なお、”ＥＡＰ−Ｒｅｓｐｏｎｓｅ｛ＮＡＣＫ｝は、本来はプロファイルを作成し直すときに使用するコマンドであるが、本発明では、このコマンドを別の無線通信機器（本実施の形態の場合、第３無線通信機器１２）のプロファイル作成のために使用している。
【００４３】
このように、実施の形態１に係る無線通信システム１によれば、第２無線通信機器１１が、第１無線通信機器１０との間でプロファイルの作成が完了した後、第１無線通信機器１０にプロファイル作成を継続する旨を通知（継続指示を送信）するとともに、第３無線通信機器１２にプロファイルの作成の指示（プロファイル作成開始指示）を送信し、プロファイル作成を継続する旨の通知を受けた第１無線通信機器１０が、プロファイルの作成を継続し、プロファイルの作成の指示を受けた第３無線通信機器１２が、第１無線通信機器１０との間でプロファイルの作成を行うので、簡単な処理で３台の無線通信機器１０，１１，１２間のプロファイルを作成することができる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【００４４】
なお、実施の形態１に係る無線通信システム１では、第２無線通信部１１０と第４無線通信部１１４を別体のものとしたが、同一のものとしてもよい。同様に、第３無線通信部１２０と第５無線通信部１２２も同一のものとしてもよい。第２無線通信部１１０と第４無線通信部１１４を共通化し、第３無線通信部１２０と第５無線通信部１２２を共通化することで、第２無線通信機器１１及び第３無線通信機器１２それぞれのコストダウン及び小型化が可能となる。
【００４５】
また、実施の形態１に係る無線通信システム１では、第１無線通信機器１０、第２無線通信機器１１及び第３無線通信機器１２において無線ＬＡＮ（無線通信）を用いたが、有線ＬＡＮ（有線通信）を用いることも可能である。
【００４６】
また、実施の形態１に係る無線通信システム１では、第４無線通信部１１４及び第５無線通信部１２２をブルートゥースに準拠するものとしたが、赤外線に準拠するものでもよいし、無線ＬＡＮに準拠するものでもよい。
【００４７】
また、実施の形態１に係る無線通信システム１において、第２無線通信機器１１が、第４無線通信部１１４を介して第３無線通信機器１２へプロファイルの作成の指示を送付する際に、第１無線通信機器１０の識別子を併せて送付するようにしてもよい。このようにすることで、第３無線通信機器１２と第１無線通信機器１０との接続が容易になる。
【００４８】
また、実施の形態１に係る無線通信システム１において、第２無線通信機器１１のプロファイル作成継続判断部１１２のステップＳ２の判断として、「接続されている機器が他に存在するか」を判断するようにしたが、以下に示す他の方法で判断するようにしても構わない。
【００４９】
（１）「接続されている他の機器のうち、第１無線通信機器１０用のプロファイルを保持していない機器が存在するかどうか。」
このような方法で判断することで、既にプロファイルを保持し、プロファイルの作成が不要な機器が存在する場合、無駄なプロファイル作成処理を省くことができ、高効率化が図れる。なお、プロファイルを保持しているかどうかの確認は、事前に収集しておいても構わないし、その都度確認するようにしても構わない。また、プロファイル作成時期や、プロファイル有効期限等の日時情報を用いて、プロファイルの保持を判断しても構わない。また、今回作成したプロファイルの内容が前回作成したプロファイルの内容から変更があるかどうか用いて、プロファイルの保持を判断しても構わない。
【００５０】
（２）「機器リストを保持し、該機器リスト内の機器のうち、接続されている機器が存在するかどうか。」
このような方法で判断することで、機器リストを作成することで制御できるため、制御しやすい。
【００５１】
（実施の形態２）
図６は、本発明の実施の形態２に係る無線通信システムの基本構成を示すブロック図である。同図において、実施の形態２に係る無線通信システム２は、３つの無線通信機器間のプロファイルの作成を可能にしたものである。すなわち、第１無線通信機器１０Ｂと第２無線通信機器１１Ｂとの間、第１無線通信機器１０Ｂと第３無線通信機器１２Ｂとの間、第１無線通信機器１０Ｂと第３無線通信機器１３との間のそれぞれにおいてプロファイルを作成することができる。
【００５２】
図７は、実施の形態２に係る無線通信システム２の第１無線通信機器１０Ｂ、第２無線通信機器１１Ｂ、第３無線通信機器１２Ｂ及び第４無線通信機器１３それぞれの概略構成を示すブロック図である。なお、同図において前述した図２に示す無線通信システム１の各機器１０，１１，１２と共通する部分には同一の符号を付けている。また、図中の丸で囲んだ数値は、処理の順番を示すものである。
【００５３】
図７において、第１無線通信機器１０Ｂは、第２無線通信機器１１Ｂ、第３無線通信機器１２Ｂ及び第４無線通信機器１３のそれぞれと無線ＬＡＮで接続できる第１無線通信部１００Ｂと、プロファイルを作成するプロファイル作成部１０１Ｂとを備える。第２無線通信機器１１Ｂは、第２無線通信部１１０と、プロファイル作成部１１１と、プロファイル作成継続判断部１１２と、プロファイル作成要求指示送信部１１３と、第５無線通信部１１５とを備える。第５無線通信部１１５以外の各部は、実施の形態１に係る無線通信システム１の第２無線通信機器１１との各部と同一であるので、説明を省略する。第５無線通信部１１５は、第３無線通信機器１２Ｂと通信を行う。
【００５４】
第３無線通信機器１２Ｂは、第１無線通信機器１０Ｂと無線ＬＡＮで接続できる第３無線通信部１２０と、第２無線通信機器１１Ｂの第５無線通信部１１５とブルートゥースによる通信を行う第６無線通信部１２４と、第２無線通信機器１１Ｂから送信されるプロファイル作成開始指示を、第６無線通信部１２４を介して受信するプロファイル作成要求指示受信部１２５と、プロファイル作成要求指示受信部１２５でプロファイル作成開始指示が受信されることでプロファイルを作成するプロファイル作成部１２６と、プロファイルの作成を継続するかどうか判断するプロファイル作成継続判断部１２７と、プロファイル作成継続判断部１２７でプロファイル作成を継続すると判断された場合に、第６無線通信部１２４を介して第４無線通信機器１３にプロファイル作成開始指示を送信するプロファイル作成要求指示送信部１２８とを備える。
【００５５】
プロファイル作成要求指示受信部１２５は、第２無線通信機器１１Ｂから送信されたプロファイル作成開始指示を受信することで、プロファイル作成部１２６にプロファイル作成開始指示を出力する。プロファイル作成部１２６は、プロファイル作成開始指示を受け取ると、第１無線通信機器１０Ｂのプロファイル作成部１０１Ｂとの間でプロファイルの作成を行う。プロファイルを作成した後、プロファイル作成継続判断部１２７にプロファイル作成完了通知を出力する。その後、プロファイル作成継続判断部１２７からの継続指示を受け取ると、第１無線通信機器１０Ｂに継続指示を送信する。プロファイル作成継続判断部１２７は、プロファイル作成部１２６に継続指示を出力し、更にプロファイル作成要求指示送信部１２８にプロファイル作成開始指示を出力する。プロファイル作成要求指示送信部１２８は、プロファイル作成開始指示を受け取ると、第６無線通信部１２４を介して第４無線通信機器１３にプロファイル作成開始指示を送信する。
【００５６】
第４無線通信機器１３は、第３無線通信機器１２Ｂと同様の構成を採り、第１無線通信機器１０Ｂと無線ＬＡＮで接続できる第４無線通信部１３０と、第３線通信機器１２Ｂの第６無線通信部１２４とブルートゥースによる通信を行う第７無線通信部１３１と、第３無線通信機器１２Ｂから送信されるプロファイル作成開始指示を、第７無線通信部１３１を介して受信するプロファイル作成要求指示受信部１３２と、プロファイル作成要求指示受信部１３２でプロファイル作成開始指示が受信されることでプロファイルを作成するプロファイル作成部１３３と、プロファイルの作成を継続するかどうか判断するプロファイル作成継続判断部１３４と、プロファイル作成継続判断部１３４でプロファイル作成を継続すると判断された場合に、第７無線通信部１３１を介して他の無線通信機器（図示略）にプロファイル作成開始指示を送信するプロファイル作成要求指示送信部１３５とを備える。
【００５７】
プロファイル作成要求指示受信部１３２は、第３無線通信機器１２Ｂから送信されたプロファイル作成開始指示を受信することで、プロファイル作成部１３３にプロファイル作成開始指示を出力する。プロファイル作成部１３３は、プロファイル作成開始指示を受け取ると、第１無線通信機器１０Ｂのプロファイル作成部１０１Ｂとの間でプロファイルの作成を行う。プロファイルを作成した後、プロファイル作成継続判断部１３４にプロファイル作成完了通知を出力する。その後、プロファイル作成継続判断部１３４からの完了通知を受け取ると、第１無線通信機器１０Ｂに完了通知を送信する。
【００５８】
図８は、実施の形態２に係る無線通信システム２におけるプロファイル作成時の動作を説明するためのシーケンス図である。なお、図中の丸で囲んだ数値は、処理の順番を示すものであり、図７中の丸で囲んだ数値に対応する。図８において、まず第１無線通信機器１０Ｂと第２無線通信機器１１Ｂとの間でプロファイルの作成が行われる。このプロファイルが作成された後、第２無線通信機器１１Ｂから第１無線通信機器１０Ｂに継続指示が送信される。続けて、第２無線通信機器１１Ｂから第３無線通信機器１２Ｂにプロファイル作成開始指示が送信される。これにより、第１無線通信機器１０Ｂと第３無線通信機器１２Ｂとの間でプロファイルの作成が行われる。このプロファイルの作成が行われた後、第３無線通信機器１２Ｂから第１無線通信機器１０Ｂに継続指示が送信される。続けて、第３無線通信機器１２Ｂから第４無線通信機器１３にプロファイル作成開始指示が送信される。これにより、第１無線通信機器１０Ｂと第４無線通信機器１３との間でプロファイルの作成が行われる。第１無線通信機器１０Ｂと第４無線通信機器１３との間でプロファイルの作成が行われた後、第４無線通信機器１３から第１無線通信機器１０Ｂに完了通知が送信される。
【００５９】
このように、実施の形態２に係る無線通信システム２によれば、第２無線通信機器１１Ｂが、第１無線通信機器１０Ｂとの間でプロファイルの作成が完了した後、第１無線通信機器１０Ｂにプロファイル作成を継続する旨を通知（継続指示を送信）するとともに、第３無線通信機器１２Ｂにプロファイルの作成の指示（プロファイル作成開始指示）を送信し、プロファイル作成を継続する旨の通知を受けた第１無線通信機器１０Ｂが、プロファイルの作成を継続し、プロファイルの作成の指示を受けた第３無線通信機器１２Ｂが、第１無線通信機器１０Ｂとの間でプロファイルの作成を行い、第１無線通信機器１０Ｂとの間でプロファイルの作成が完了した後、第１無線通信機器１０Ｂにプロファイル作成を継続する旨を通知（継続指示を送信）するとともに、第４無線通信機器１３にプロファイルの作成の指示（プロファイル作成開始指示）を送信し、プロファイル作成を継続する旨の通知を受けた第１無線通信機１０Ｂが、プロファイルの作成を継続し、プロファイルの作成の指示を受けた第４無線通信機器１３が、第１無線通信機器１０Ｂとの間でプロファイルの作成を行い、プロファイル作成が完了した後、第１無線通信機器１０Ｂに完了通知するので、簡単な処理で４台の無線通信機器１０Ｂ，１１Ｂ，１２Ｂ，１３間のプロファイルを作成することができる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【００６０】
（実施の形態３）
図９は、本発明の実施の形態３に係る無線通信システムの基本構成を示すブロック図である。同図において、実施の形態３に係る無線通信システム３は、前述した実施の形態２に係る無線通信システム２と同様に、３つの無線通信機器間のプロファイルの作成を可能にしたものである。すなわち、第１無線通信機器１０Ｂと第２無線通信機器１１Ｃとの間、第１無線通信機器１０Ｂと第３無線通信機器１２Ｃとの間、第１無線通信機器１０Ｂと第３無線通信機器１３Ｂとの間のそれぞれにおいてプロファイルを作成することができる。
【００６１】
前述した実施の形態２に係る無線通信システム２と異なる点は、実施の形態２に係る無線通信システム２では、プロファイル作成開始指示を、第２無線通信機器１１Ｂ→第３無線通信機器１２Ｂ→第４無線通信機器１３の順で送り出すようにしたのに対し、実施の形態３に係る無線通信システム３では、第２無線通信機器１１Ｃが中心となって、第３無線通信機器１２Ｃと第４無線通信機器１３Ｂのそれぞれに与えるようにした点にある。
【００６２】
図１０は、実施の形態３に係る無線通信システム３の第１無線通信機器１０Ｂ、第２無線通信機器１１Ｃ、第３無線通信機器１２Ｃ及び第４無線通信機器１３Ｂそれぞれの概略構成を示すブロック図である。なお、同図において前述した図２に示す無線通信システム１の各機器１０，１１，１２及び前述した図７に示す無線通信システム２の各機器１０Ｂ，１１Ｂ，１２Ｂ，１３のそれぞれと共通する部分には同一の符号を付けている。また、図中の丸で囲んだ数値は、処理の順番を示すものである。
【００６３】
図１０において、第１無線通信機器１０Ｂは、第２無線通信機器１１Ｃ、第３無線通信機器１２Ｃ及び第４無線通信機器１３Ｂのそれぞれと無線ＬＡＮで接続できる第１無線通信部１００Ｂと、プロファイルを作成するプロファイル作成部１０１Ｂとを備える。第２無線通信機器１１Ｃは、第２無線通信部１１０と、プロファイル作成部１１１と、プロファイル作成継続判断部１１２Ｂと、プロファイル作成要求指示送信部１１３Ｂと、第５無線通信部１１５とを備える。第２無線通信機器１１Ｃにおいて、プロファイル作成継続判断部１１２Ｂ、プロファイル作成要求指示送信部１１３Ｂ及び第５無線通信部１１５以外の各部は、実施の形態１に係る無線通信システム１の第２無線通信機器１１の各部と同一である。
【００６４】
プロファイル作成継続判断部１１２Ｂは、プロファイル作成完了通知を受け取ると、プロファイル作成部１１１に継続指示を出力する。プロファイル作成継続判断部１１２Ｂは、第５無線通信部１１５の出力に基づき、接続機器がある場合、プロファイル作成部１１１に継続指示を送信する。そして、接続機器が最後の接続機器でなければ、プロファイル作成要求指示送信部１１３Ｂにプロファイル作成開始指示（継続フラグ＝ｔｒｕｅ）を出力し、最後の機器であれば、プロファイル作成要求指示送信部１１３Ｂにプロファイル作成開始指示（継続フラグ＝ｆａｌｓｅ）を出力する。プロファイル作成継続判断部１１２Ｂは、プロファイル作成開始指示を出力した後、プロファイル作成要求指示送信部１１３Ｂからプロファイル作成完了通知を取り込む。
【００６５】
プロファイル作成要求指示送信部１１３Ｂは、第３無線通信機器１２Ｃに対してプロファイル作成開始指示を送信し、また第３無線通信機器１２Ｃから送信されるプロファイル作成完了通知を受信する。また、プロファイル作成要求指示送信部１１３Ｂは、第４無線通信機器１３Ｂに対してプロファイル作成開始指示を送信し、また第４無線通信機器１３Ｂから送信されるプロファイル作成完了通知を受信する。プロファイル作成要求指示送信部１１３Ｂは、継続フラグ等の送受信を第５無線通信部１１５にて行う。
【００６６】
プロファイル作成要求指示送信部１１３Ｂは、第３無線通信機器１２Ｃにプロファイル作成開始指示（継続フラグ＝ｔｒｕｅ）を送信する。また、プロファイル作成要求指示送信部１１３Ｂは、第３無線通信機器１２Ｃから送信されたプロファイル作成完了通知を受信すると、プロファイル作成継続判断部１１２Ｂにプロファイル作成完了通知を出力する。また、プロファイル作成要求指示送信部１１３Ｂは、第４無線通信機器１３Ｂにプロファイル作成開始指示（継続フラグ＝ｆａｌｓｅ）を送信する。また、プロファイル作成要求指示送信部１１３Ｂは、第４無線通信機器１３Ｂから送信されたプロファイル作成完了通知を受信すると、プロファイル作成継続判断部１１２Ｂにプロファイル作成完了通知を出力する。
【００６７】
プロファイル作成部１１１は、継続指示を受け取ると、第１無線通信機器１０Ｂに継続指示を送信する。第１無線通信機器１０Ｂは、第２無線通信機器１１Ｃから送信された継続指示を受信すると、次の第３無線通信機器１２Ｃとの間でプロファイルを作成するための処理に移行する。第３無線通信機器１２Ｃとの間でプロファイルを作成した後は、次の第４無線通信機器１３Ｂとの間でプロファイルを作成するための処理に移行する。
【００６８】
第３無線通信機器１２Ｃは、第１無線通信機器１０Ｂと無線ＬＡＮで接続できる第３無線通信部１２０と、第２無線通信機器１１Ｃの第５無線通信部１１５とブルートゥースによる通信を行う第６無線通信部１２４と、第２無線通信機器１１Ｃから送信されるプロファイル作成開始指示（継続フラグ＝ｔｒｕｅ）を、第６無線通信部１２４を介して受信するプロファイル作成要求指示受信部１２５Ｂと、プロファイル作成要求指示受信部１２５Ｂでプロファイル作成開始指示（継続フラグ＝ｔｒｕｅ）が受信されることでプロファイルを作成するプロファイル作成部１２９と、プロファイルの作成を継続するかどうか判断する継続／完了判断部１２７Ｂと、継続／完了判断部１２７Ｂでプロファイル作成が完了したと判断された場合に、第６無線通信部１２４を介して第２無線通信機器１１Ｃにプロファイル作成完了通知を送信する完了通知送信部１２８Ｂとを備える。
【００６９】
プロファイル作成要求指示受信部１２５Ｂは、第２無線通信機器１１Ｃから送信されたプロファイル作成開始指示（継続フラグ＝ｔｒｕｅ）を受信することで、プロファイル作成部１２９にプロファイル作成開始指示を出力する。プロファイル作成部１２９は、プロファイル作成開始指示を受け取ると、第１無線通信機器１０Ｂのプロファイル作成部１０１Ｂとの間でプロファイルの作成を行う。プロファイル作成部１２９は、プロファイルを作成した後、継続／完了判断部１２７Ｂにプロファイル作成完了通知を出力する。プロファイル作成部１２９は、継続／完了判断部１２７Ｂにプロファイル作成完了通知を出力した後、継続／完了判断部１２７Ｂから継続指示を受け取ると、第１無線通信機器１０Ｂに継続指示を送信するとともに、完了通知送信部１２８Ｂにプロファイル作成完了通知を出力する。完了通知送信部１２８Ｂは、プロファイル作成完了通知を受け取ると、第２無線通信機器１１Ｃにプロファイル作成完了通知を送信する。
【００７０】
第４無線通信機器１３Ｂは、第１無線通信機器１０Ｂと無線ＬＡＮで接続できる第４無線通信部１３０と、第２無線通信機器１１Ｃの第５無線通信部１１５とブルートゥースによる通信を行う第７無線通信部１３１と、第２無線通信機器１１Ｃから送信されるプロファイル作成開始指示（継続フラグ＝ｆａｌｓｅ）を、第７無線通信部１３１を介して受信するプロファイル作成要求指示受信部１３２Ｂと、プロファイル作成要求指示受信部１３２Ｂでプロファイル作成開始指示（継続フラグ＝ｆａｌｓｅ）が受信されることでプロファイルを作成するプロファイル作成部１３７と、プロファイルの作成を継続するかどうか判断する継続／完了判断部１３４Ｂと、継続／完了判断部１３４Ｂでプロファイル作成が完了したと判断された場合に、第７無線通信部１３１を介して第２無線通信機器１１Ｃにプロファイル作成完了通知を送信する完了通知送信部１３５Ｂとを備える。
【００７１】
プロファイル作成要求指示受信部１３２Ｂは、第２無線通信機器１１Ｃから送信されたプロファイル作成開始指示（継続フラグ＝ｆａｌｓｅ）を受信することで、プロファイル作成部１３７にプロファイル作成開始指示を出力する。プロファイル作成部１３７は、プロファイル作成開始指示を受け取ると、第１無線通信機器１０Ｂのプロファイル作成部１０１Ｂとの間でプロファイルの作成を行う。プロファイル作成部１３７は、プロファイルを作成した後、継続／完了判断部１３４Ｂにプロファイル作成完了通知を出力する。プロファイル作成部１３７は、継続／完了判断部１３４Ｂにプロファイル作成完了通知を出力した後、継続／完了判断部１３４Ｂから完了通知を受け取ると、第１無線通信機器１０Ｂに完了通知を送信するとともに、完了通知送信部１３５Ｂにプロファイル作成完了通知を出力する。完了通知送信部１３５Ｂは、プロファイル作成完了通知を受け取ると、第２無線通信機器１１Ｃにプロファイル作成完了通知を送信する。
【００７２】
図１１は、実施の形態３に係る無線通信システム３におけるプロファイル作成時の動作を説明するためのシーケンス図である。なお、図中の丸で囲んだ数値は、処理の順番を示すものであり、図１０中の丸で囲んだ数値に対応する。図１１において、まず第１無線通信機器１０Ｂと第２無線通信機器１１Ｃとの間でプロファイルの作成が行われる。このプロファイルが作成された後、第２無線通信機器１１Ｃから第１無線通信機器１０Ｂに継続指示が送信される。続けて、第２無線通信機器１１Ｃから第３無線通信機器１２Ｃにプロファイル作成開始指示（継続フラグ＝ｔｒｕｅ）が送信される。これにより、第１無線通信機器１０Ｂと第３無線通信機器１２Ｃとの間でプロファイルの作成が行われる。このプロファイルの作成が行われた後、第３無線通信機器１２Ｃから第１無線通信機器１０Ｂに継続指示が送信される。
【００７３】
次に、第３無線通信機器１２Ｃから第２無線通信機器１１Ｃにプロファイル作成完了通知が送信される。そして、プロファイル作成完了通知を受信した第２無線通信機器１１Ｃから第４無線通信機器１３Ｂにプロファイル作成開始通知（継続フラグ＝ｆａｌｓｅ）が送信される。第４無線通信機器１３Ｂがプロファイル作成開始通知（継続フラグ＝ｆａｌｓｅ）を受け取ることで、第４無線通信機器１３Ｂと第１無線通信機器１０Ｂとの間でプロファイルの作成が行われる。このプロファイルが作成された後、第４無線通信機器１３Ｂから第１無線通信機器１０Ｂに完了通知が送信される。続けて、第４無線通信機器１３Ｂから第２無線通信機器１１Ｃにプロファイル作成完了通知が送信される。
【００７４】
図１２は、第２無線通信機器１１Ｃのプロファイル作成継続判断部１１２Ｂの動作を説明するためのフローチャートである。なお、図中の丸で囲んだ数値は、処理の順番を示すものであり、図１０及び図１１中の丸で囲んだ数値に対応する。図１２において、プロファイル作成継続判断部１１２Ｂは、まずプロファイル作成完了通知の受信を行う（ステップＳ１０）。次いで、第５無線通信部１１５の出力に基づき、接続機器があるかどうか判定する（ステップＳ１１）。接続機器がある場合（ステップＳ１１で「Ｙｅｓ」と判断した場合）、プロファイル作成部１１１に継続指示を送信する（ステップＳ１２）。継続指示を送信した後、接続機器が最後の接続機器かどうか判定する（ステップＳ１３）。最後の接続機器でない場合（ステップＳ１３で「Ｎｏ」と判断した場合）、プロファイル作成要求指示送信部１１３Ｂにプロファイル作成開始指示（継続フラグ＝ｔｒｕｅ）を出力する（ステップＳ１４）。次いで、プロファイル作成要求指示送信部１１３Ｂからプロファイル作成完了通知を取り込む（ステップＳ１５）。この処理を行った後、ステップＳ１３の処理に戻る。
【００７５】
上記ステップＳ１３の判定で、最後の機器である場合（ステップＳ１３で「Ｙｅｓ」と判断した場合）は、プロファイル作成要求指示送信部１１３Ｂにプロファイル作成開始指示（継続フラグ＝ｆａｌｓｅ）を出力する（ステップＳ１６）。次いで、プロファイル作成要求指示送信部１１３Ｂからプロファイル作成完了通知を取り込む（ステップＳ１７）。この処理を行った後、本処理を終える。一方、上記ステップＳ１１の判定で、接続機器がない場合（ステップＳ１１で「Ｎｏ」と判断した場合）は、第１無線通信機器１０Ｂに完了通知を送信する（ステップＳ１８）。
【００７６】
図１３は、第３無線通信機器１２Ｃの継続／完了判断部１２７Ｂ及び第４無線通信機器１３Ｂの継続／完了判断部１３４Ｂそれぞれの動作を説明するためのフローチャートである。なお、図中の丸で囲んだ数値は、処理の順番を示すものであり、図１０及び図１１中の丸で囲んだ数値に対応する。図１３において、まず継続／完了判断部１２７Ｂ（継続／完了判断部１３４Ｂ）は、プロファイル作成完了通知の取り込みを行う（ステップＳ３０）。次いで、継続フラグがｔｒｕｅか、ｆａｌｓｅかを判定する（ステップＳ３１）。継続フラグがｔｒｕｅの場合、第１無線通信機器１０Ｂに継続指示を送信する（ステップＳ３２）。これに対し、継続フラグがｆａｌｓｅの場合、第１無線通信機器１０Ｂに完了通知を送信する（ステップＳ３３）。ステップＳ３２又はステップＳ３３の処理を行った後、本処理を終える。
【００７７】
このように、実施の形態３に係る無線通信システム３によれば、第２無線通信機器１１Ｃが、第１無線通信機器１０Ｂとの間でプロファイルの作成が完了した後、第１無線通信機器１０Ｂへプロファイル作成を継続する旨を通知するとともに、第３無線通信機器１２Ｃへ継続を示す継続フラグとともにプロファイルの作成の指示を送付し、プロファイル作成を継続する旨の通知を受けた第１無線通信機器１０Ｂが、プロファイルの作成を継続し、プロファイルの作成の指示を受けた第３無線通信機器１２Ｃが、第１無線通信機器１０Ｂとの間でプロファイルの作成を行い、該プロファイルの作成が完了した後、第１無線通信機器１０Ｂへプロファイル作成を継続する旨を通知するとともに、第２無線通信機器１１Ｃへプロファイル作成完了通知を送付し、プロファイル作成完了通知を受けた第２無線通信機器１１Ｃが、第４無線通信機器１３Ｂへ完了を示す継続フラグとともにプロファイルの作成の指示を送付し、プロファイル作成を継続する旨の通知を受けた第１無線通信機器１０Ｂが、プロファイル作成を継続し、プロファイル作成の指示を受けた第４無線通信機器１３Ｂが、第１無線通信機器１０Ｂとの間でプロファイルの作成を行うので、簡単な処理で４台の無線通信機器間のプロファイルを作成できる。また、プロファイルの作成にあっては、無線ＬＡＮを使用して設定情報の送受信を行うため、設定情報そのものをネットワーク経由で送受信する場合と比較して、セキュリティが低下してしまうことがない。すなわち、セキュリティを低下させることなく、簡単な処理で複数の機器間のプロファイルを作成することができる。
【００７８】
なお、実施の形態１〜３のそれぞれに係る無線通信システム１〜３のハード構成としては、通常のコンピュータを用いることもできる。すなわち、無線通信システム１〜３の各々は、ＣＰＵ、ＲＡＭ等の揮発性メモリ、及びＲＯＭ等の不揮発性メモリ、及びハードディスク又はＳＳＤ（Solid State Drive）等の大容量記憶装置等を備えたコンピュータによって構成できる。
【００７９】
また、実施の形態１〜３のそれぞれに係る無線通信システム１〜３における処理を記述したプログラムを、磁気ディスク、光ディスク、光磁気ディスク、半導体メモリ等の記憶媒体に格納して配布したり、インターネット等の電気通信回線を利用して配布したりすることも可能である。
【産業上の利用可能性】
【００８０】
本発明は、セキュリティを低下させることなく、簡単な処理で複数の機器間のプロファイルを作成することができるといった効果を有し、アクセスポイントと、スマートフォンと、スマートパッド等の複数の無線通信機器で構成される無線通信システムへの適用が可能である。
【符号の説明】
【００８１】
１，２，３  無線通信システム
１０，１０Ｂ  第１無線通信機器
１１，１１Ｂ，１１Ｃ  第２無線通信機器
１２，１２Ｂ，１２Ｃ  第３無線通信機器
１３，１３Ｂ  第４無線通信機器
１００，１００Ｂ  第１無線通信部
１０１，１０１Ｂ，１１１，１２１，１２６，１２９，１３３，１３７  プロファイル作成部
１１０  第２無線通信部
１１２，１１２Ｂ，１２７，１３４  プロファイル作成継続判断部
１１３，１１３Ｂ，１２８，１３５  プロファイル作成要求指示送信部
１１４，１３０  第４無線通信部
１１５，１２２  第５無線通信部
１２０  第３無線通信部
１２３，１２５，１３２，１２５Ｂ，１３２Ｂ  プロファイル作成要求指示受信部
１２４  第６無線通信部
１２７Ｂ，１３４Ｂ  継続／完了判断部
１２８Ｂ，１３５Ｂ  完了通知送信部
１３１  第７無線通信部
【図１】
2013038460.tif 000003
【図２】
2013038460.tif 000004
【図３】
2013038460.tif 000005
【図４】
2013038460.tif 000006
【図５】
2013038460.tif 000007
【図６】
2013038460.tif 000008
【図７】
2013038460.tif 000009
【図８】
2013038460.tif 000010
【図９】
2013038460.tif 000011
【図１０】
2013038460.tif 000012
【図１１】
2013038460.tif 000013
【図１２】
2013038460.tif 000014
【図１３】
2013038460.tif 000015
【図１４】
2013038460.tif 000016